(57)【特許請求の範囲】
【請求項１】
顔面の少なくとも一部を露出させる開口部が形成され、前記開口部以外の頭部を覆うフード部と、
前記開口部及びこの開口部の周囲に位置するフード部の少なくとも各一部を被覆し又は露出させる顔面被覆部とを備えており、
前記顔面被覆部は、目を覆うシールドと鼻及び口を覆うマスク部とを備え、
前記マスク部の下端部が前記開口部の下方に分離不可に連結され、
前記シールドの上端部が前記開口部の上方に着脱自在に連結され、
前記マスク部の両側端部が前記開口部の側方において着脱自在に連結されていることを特徴とするシールド付防塵フード。
【請求項２】
前記マスク部の外形は、前記開口部を被覆した状態で、上底の長さが下底の長さに対して長い略台形形状に形成されていることを特徴とする請求項１に記載のシールド付防塵フード。
【請求項３】
前記マスク部の外形は、その前記両側端部が前記顔面の顎の下方に至るまで緩やかに湾曲しつつ漸次すぼむように形成され、その後平行又は漸次拡開するように形成されていることを特徴とする請求項２に記載のシールド付防塵フード。
【請求項４】
前記マスク部の上部は、上方を開口させて前記シールドの下端部を挿入させて連結させる袋構造とされていることを特徴とする請求項２又は３に記載のシールド付防塵フード。
【請求項５】
前記袋構造は、前記シールドの表面と裏面と覆って挟み込む表面生地と裏面生地とを備え、
前記裏面生地が塵埃類を付着させる布材料により形成されていることを特徴とする請求項４に記載のシールド付防塵フード。
【発明の詳細な説明】
【技術分野】
【０００１】
本発明は、シールド付防塵フードに関する。
【背景技術】
【０００２】
食品その他の物の製造工場においては、髪の毛等の人体から生じる塵埃類が落ちるのを防止するために、防塵フードが着用されることがある。
防塵フードとしては、両目を覆う部分を開口させ、それ以外の顔面を含む頭部全体を覆うフードと、フードの下端部に連結されて肩部を被覆するスカート部と、視界を良好に保ちつつ開口部を覆うシールドとを備えたものが広く知られている（例えば下記特許文献１）。
下記特許文献１に代表される防塵フードは、シールドをフードの開口部に着脱自在に取り付けられるように構成しており、シールドをフードから取り外して防塵フードを洗濯したり、シールド表面の汚れを清掃したりできるようになっている。
【先行技術文献】
【特許文献】
【０００３】
【特許文献１】特開２００３−４９３１２号公報
【発明の概要】
【発明が解決しようとする課題】
【０００４】
ところで、従来の防塵フードは、シールドで覆われた両目部分は開口自在であるが、鼻や口は塞いでしまっている。よって、例えば製造された食品の匂いを嗅いで風味をチェックしたり試食をしたりする際に、防塵フードをまくり上げたり、脱いだりしなければならず、その際防塵フードに付着した塵埃類や人体から生じた塵埃類が飛散するという問題があった。
そこで本発明は、塵埃類の飛散を防止しつつ鼻又は口の部分を開口させることができる防塵フードを提供することを課題とする。
【課題を解決するための手段】
【０００５】
顔面の少なくとも一部を露出させる開口部が形成され、前記開口部以外の頭部を覆うフード部と、前記開口部及びこの開口部の周囲に位置するフード部の少なくとも各一部を被覆し又は露出させる顔面被覆部とを備えていることを特徴とする。
この構成によれば、顔面被覆部を開閉するだけで開口部を開閉することができる。
【０００６】
本発明のシールド付防塵フードは、前記顔面被覆部が、目を覆うシールドと鼻及び口を覆うマスク部とを備え、前記マスク部の下端部が前記開口部の下方に分離不可に連結され、前記シールドの上端部が前記開口部の上方に着脱自在に連結され、前記マスク部の両側端部が前記開口部の側方において着脱自在に連結されていることが好ましい。
この構成によれば、前記開口部を開口させ、顔面被覆部を下げられるため、顔面被覆部が開口部を開口させた状態で行う作業の邪魔になりにくい。
【０００７】
本発明の前記顔面被覆部は、前記マスク部の外形は、前記開口部を被覆した状態で、上底の長さが下底の長さに対して長い略台形形状に形成されていることが好ましい。
この構成によれば、マスク部の上底の長さが下底の長さに対して長い略台形形状に形成されている、すなわちマスク部の外形が下方に向かって窄み、顔の輪郭に沿う形状となっているため、顔面被覆部を閉じた際にマスク部のダブつきが防止される。
【０００８】
本発明の前記マスク部の外形は、その前記両側端部が前記顔面の顎の下方に至るまで緩やかに湾曲しつつ漸次すぼむように形成され、その後平行又は漸次拡開するように形成されていることが好ましい。
この構成によれば、マスク部を顔面にフィットさせやすくなり、顔面被覆部を閉じた際にマスク部のダブつきが防止される。
【０００９】
本発明の前記マスク部の上部は、上方を開口させて前記シールドの下端部を挿入させて連結させる袋構造とされていることが好ましい。
この構成によれば、シールドの裏面を伝って下方に落ちる塵埃類を袋構造により受けることができる。
【００１０】
本発明の前記袋構造は、前記シールドの表面と裏面と覆って挟み込む表面生地と裏面生地とを備え、前記裏面生地が塵埃類を付着させる布材料により形成されていることが好ましい。
この構成によれば、袋構造の裏面生地に塵埃類を付着させることにより、顔面被覆部を下げた際に、袋構造の裏面生地に付着した塵埃類が飛散することを防止しやすくなる。
【発明の効果】
【００１１】
本発明のシールド付防塵フードは、顔面被覆部を開閉するだけで開口部のみを容易に開閉することができるという効果を奏する。
【図面の簡単な説明】
【００１２】
【図１】本発明の一実施形態として開口部を閉じた状態のシールド付防塵フードを示した正面図である。
【図２】本発明の一実施形態として開口部を閉じた状態のシールド付防塵フードを示した側面図である。
【図３】本発明の一実施形態として開口部を開口させた状態のシールド付防塵フードを示した正面図である。
【図４】本発明の一実施形態として開口部を開口させた状態のシールド付防塵フードを示した側面図である。
【図５】本発明の一実施形態の変形例として開口部を開口させた状態のシールド付防塵フードを示した正面図である。
【発明を実施するための形態】
【００１３】
以下、図面を参照して本発明の実施の形態を説明する。
図１，図２に示すように、シー  ルド付防塵フード（以下単に「防塵フード」という）１は、顔面を露出させる開口部２が形成され顔面以外の頭部を覆うフード部３と、開口部２及びその周囲に位置するフード部３（以下「周囲部４」という）を開閉自在に被覆し、開口部２を閉じた際にこの開口部２の全周に巡る周囲部４に重なるように覆う顔面被覆部５と、フード部３の下端部１４に連結されたスカート部６とを備えている。
【００１４】
フード部３は、布材により形成され、両目，鼻及び口を含む部分以外を覆う頭頂部７，額部８，両耳を含む側頭部９，後頭部１０及び首部１１備え、略筒状に形成されている。
開口部２によって顔面を露出させる領域は、特に限定されるものではないが、眉を可及的に含む額及びこめかみから下方よりも内側に設定されている。
【００１５】
そして、図３，図４に示すように、周囲部４のうち眉に沿う上縁部４ａと上縁部４ａの両端から下方にＵ字状に延在する下縁部４ｂとが伸縮性のある布地により縁取られて顔面に略フィットし、眉，前髪及びもみあげ部までフード部３によって可及的に覆われるように形成されている。すなわち、目，鼻及び口（包括的に顔面前部とも言う）以外の部分を可及的に被覆し、例えば顔面前部を露出してもよい防塵レベルの環境においては、かかる環境下で用いられる防塵フード１の役割を果たし得る構造になっている。上縁部４ａの上方には、つば部１３が形成されている。
【００１６】
フード部３の下端部１４は、ＳＳ〜ＬＬ等のように所定の範囲で設定された頭部のサイズよりも大きめに開口され、頭から被って着用しやすいようになっている。
一方、図２に示すように、フード部３の後頭部上部に対応する位置１５と、頭部と首部１１の略境目に対応する位置１６には、水平方向にフード部３を伸縮させるゴム部材が縫い込まれており、フード部３の着用時には頭部の形状に合わせて伸長し、着用完了時には収縮して後頭部１０の上方及び下方においてフィットするようになっている。
【００１７】
フード部３の耳に対応する部分１７は、メッシュ生地等により形成され、通気性を良好にするとともに音が聞こえやすいようになっている。
図３，図４に示すように、周囲部４の下縁部４ｂと耳に対応する部分１７との間には、左右に対を成して構成されるファスナーの一方側ＦＳ１が下方前方に向かって延在するように取り付けられている。ファスナーの一方側ＦＳ１どうしの間寸法は下方に向かって漸次窄むように形成されている。
【００１８】
図１，図２に示すように、スカート部６は、フード部３の下端部１４から下方に向かって広がるように下端部１４に縫合され、着用者の両肩，胸上部及び背中上部を覆うようになっており、メッシュ素材等により形成されている。
【００１９】
顔面被覆部５は、開口部２及び周囲部４のそれぞれの少なくとも一部を覆うカバー生地である。周囲部４とは、顔及び首の前側の略全体から開口部２を除いた領域（すなわち上下方向には額の髪の生え際付近から首の付け根付近まで、水平方向には両耳の間、に亘る領域の開口部２を除いた領域）である。本実施形態において、顔面被覆部５は、開口部２内に位置する着用者の鼻、口及び周囲部４の下半分を覆うマスク部２０と、開口部２内に位置する着用者の両目及び周囲部４の上半分を覆うシールド２１とを備えている。
マスク部２０の幅寸法は、図１，図２に示すように、開口部２の被覆時に下方に向かってやや窄む略台形形状に形成され、上部２０Ａ，中央部２０Ｂ及び下部２０Ｃに分けて構成されている。
【００２０】
具体的には、マスク部２０は、下底部（下底）２３に対して上底部（上底）４０の長さ寸法が大きく形成され、開口部２を被覆した状態で幅方向の寸法が下方に向かって漸次小さくなるように形成され、図３に示すように下底部２３がフード部３の開口部２の下方に水平方向に縫合されている。そして、下底部２３を軸として上下に反転し開口部２を開閉自在となっている。
【００２１】
マスク部２０の上部２０Ａは、図１，図２に示すように鼻及び口近傍を覆う部分となっており、セオアルファ（登録商標）等の通気性の良い生地を２枚重ねて図３に示す袋構造２４となるように形成されている。
この上部２０Ａの袋構造２４は、顔面被覆部５を閉じた際に上方が開口して、シールド２１の下端部２１ｂを所定深さ挿入できるようになっている。所定深さとは、挿入されたシールド２１がマスク部２０の上部２０Ａに対して多少相対移動することがあってもシールド２１の下端部２１ｂが簡単に飛び出さない程度の深さである。更に、袋構造２４を構成する図３に示す表面生地２５と裏面生地２６とは、シールド２１の下端部２１ｂに略フィットさせる形状で両生地がシールド２１に対して殆ど無駄なダブつきなく重ね合されているとともに、表面生地２５又は裏面生地２６の内面側には、シールド２１を固定するスナップ式のボタン３０，３０が取り付けられている。
【００２２】
マスク部２０の中央部２０Ｂは、口近傍以下を覆う部分となっており、メッシュ素材により形成され、通気性を良くするとともに声を良好に通し得るようになっている。
マスク部２０の下部は、首部を覆う部分となっており、セオアルファ（登録商標）等の等の通気性の良い生地により形成されている。
【００２３】
図３に示すように、マスク部２０の両側端部２７，２７には、それぞれフード部３の開口部２の側方に取り付けられたファスナーの一方側ＦＳ１と対をなすファスナーの他方側ＦＳ２が取り付けられている。この構成の下に、マスク部２０がフード部３に対して開口部２の側方において着脱自在となっている。
マスク部２０の表面積は、鼻及び口に位置する開口部２の面積よりも大きく、開口部２の側方及び下方に形成された周囲部４に亘って覆い得る寸法に形成されている。
【００２４】
シールド２１は、特に限定されないが、透明又は半透明の可撓性を有する樹脂シートにより形成され、視界を良好に確保できるようになっている。シールド２１の外形は、角部２１Ｋが円弧状に湾曲して形成された略矩形形状に形成されるとともに、下端部２１ｂがその中央部で上辺側に湾曲するようにやや凹んだ形状となっており、両目とその周辺の全体を大きく被覆する大きさに形成されている。
シールド２１の上端部２１ａの中央と下端部２１ｂの左右両側寄りには、つば部１３に取り付けられたスナップ式のボタン３０と図３に示す表面生地２５又は裏面生地２６の内面に設けられたスナップ式のボタン３０，３０とにそれぞれ対応するボタン３１，３１・・が設けられており、マスク部２０の上部２０Ａ及びつば部１３に着脱自在に取り付けられている。
【００２５】
次に、防塵フード１の使用方法について説明する。
防塵フード１を着用して使用するにあたっては、図１，図２に示すようにまずシールド２１をマスク部２０の上部２０Ａの袋構造２４の内部に挿入し、つば部１３に設けられたスナップ式のボタン３０及び袋構造２４内に設けられたスナップ式のボタン３０に対応するボタン３１，３１・・を合わせて留める。
【００２６】
そして、開口部２を顔面側に向けてスカート部６の裾から防塵フード１を被りフード部３内に頭部を挿入する。開口部２の上縁部４ａと下縁部４ｂとを顔面前部を露出させてフィットさせ、下縁部４ｂの下方を顎の下にかけて、ファスナーＦＳ１，ＦＳ２を閉じる。そうすると顔面被覆部５が開口部２及び周囲部４を覆って固定される。
この状態で防塵フード１の着用が完了するので、着用者が自己に付着した塵埃類が飛散することを気にせずに作業を行うことができる。
【００２７】
そして、例えば、食品の製造中に食品の風味をチェックしたり試食をしたりする場合など、鼻又は口の覆いを取りたい場合には、作業スペースから離れた適切なエリアでつば部１３に取り付けられたボタン３０とボタン３１とを外し、ファスナーＦＳ１，ＦＳ２を下ろして顔面被覆部５を下方に向けてフード部３から下げ、開口部２を開口させて試食等をおこなう。
試食等の作業が完了すると、再び顔面被覆部５を開口部２に覆わせ、ファスナーＦＳ１，ＦＳ２を閉めて顔面被覆部５を固定する。
【００２８】
このように、防塵フード１によれば、つば部１３のボタン３０とボタン３１とを外し、開口部２の両側方に設けられたファスナーＦＳ１，ＦＳ２を開閉するだけで、防塵フード１を脱いだり下からまくったりすることなく、簡単に顔面前部のみを開口させることができるという効果が得られる。
特に、顔面被覆部５は、台形形状というシンプルな形状で開口部２の全体をその周辺の周囲部４を含めて大きく覆い得るように形成され、かつ、ファスナーＦＳ１，ＦＳ２が開口部２の側方と両側端部２７，２７とのそれぞれに略直線的に設けられている。したがって、顔面被覆部５の開閉が非常に容易となるという効果が得られる。
【００２９】
更に、図１，図３又は図２，図４に示すように、両側部２７，２７が下方かつ前方に向延在しているため、ファスナーＦＳ１，ＦＳ２の下端が、後方には手が回し難い首部において首の前側に位置することになる。したがって、ファスナーＦＳ１，ＦＳ２を前方に向かって引き、側方に向かって上げることができ、マスク部２０の開閉が更に行いやすいという効果が得られる。
【００３０】
また、防塵フード１は、作業環境に応じて開口部２を開口し顔面前部の必要な部分のみ露出させても、周囲部４を顔面にフィットさせ、露出した部分以外をしっかりと防塵するようになっている。したがって、防塵フード１は、顔面被覆部５を開口部２に被覆させなければならない作業環境と、開口部２を露出させることが可能な作業環境との双方で、衛生レベルに応じて防塵態様を変えて用いることができるという効果が得られる。
【００３１】
また、開口部２の被覆時において、マスク部２０の幅方向の寸法が下方に向かって漸次窄む形状となっており、ファスナーＦＳ１，ＦＳ２によって両側方を顔の輪郭にほぼ沿って留める構造になっているため、マスク部２０の下部２０Ｃのダブつきを抑えて下方の視界を良好にすることができるという効果が得られる。
【００３２】
また、シールド２１が袋構造２４に挿入されて留められるようになっているため、シールド２１の内面を伝って落ちる塵埃類が袋構造２４内又はマスク部２０の内面側に落ちて、防塵フード１の外に落ちることを防止することができるという効果が得られる。
なお、上記実施形態において、マスク部２０の形状は略台形形状に形成されているが、矩形形状に形成されていても、台形形状から生じる作用及び効果以外については上記実施形態と同一の作用及び効果を奏し得る。
【００３３】
また、マスク部２０の両側端部２７，２７は、図５に示すように、防塵フード１を顔の輪郭に沿って緩やかなＳ字又は逆Ｓ字形状に形成されていることが望ましい。具体的には、両側端部２７，２７は、着用者の顎の位置又は顎のやや下方に至るまで両側端部２７，２７が緩やかに頬の形に添って湾曲しつつ漸次窄むように形成され、その下方で平行又は下方に向かってわずかに拡開するように形成されていることが好ましい。
【００３４】
マスク部２０の両側端部がこのように形成されていることで、マスク部２０の中央部２０Ｂ及び下部２０Ｃの両側端部２７，２７に形成された曲線が顔の頬から顎の部分の両側部及び顎から首の部分にかけてより良好にフィットする。したがって、開口部２を露出させた際にも、目，鼻及び口以外の部分から塵埃類が落ちるのをより好適に防止することができるという効果が得られる。また、防塵フード１を被って下方を向いた際の視界が良好となるとともに、マスク部２０で開口部２を閉じた状態にした際に、マスク部２０を顔面により良好にフィットさせることができるという効果が得られる。
【００３５】
また、図５に示すような形状とした場合、マスク部２０は、シールド２１を挿入して鼻及び口部分を覆う上部２０Ａ及び中央部２０Ｂの幅を大きく形成し、首元で幅が小さく形成された構成とさせやすい。したがって、視界を可及的に大きくすることができるとともに、中央部２０Ｂを通気性の良いメッシュで形成することにより、鼻及び口の周囲の通気性をひろくし、かつ、顎よりも下のダブつきを抑えることができるという効果が得られる。
【００３６】
また、袋構造２４を形成する裏面生地２６は、起毛している等、塵埃類を付着させて落ちにくい構造になっているとなおよい。
このような材料が裏面生地２６に用いられていると、顔面被覆部５を下して開口部２を開口させたときに、顔面被覆部５に付着させた塵埃類を飛散させることを防止することができるという効果が得られる。
【００３７】
なお、上記実施形態において、マスク部２０の両側端部２７，２７は線ファスナーであるファスナーＦＳ１，ＦＳ２により着脱自在な構成としたが、両側端部２７，２７を着脱する手段としては、線ファスナーに限定されるものではなく、面ファスナー，その他スナップボタン等着脱自在に留められるものであればどのようなものが適用されてもよい。
【００３８】
また、上記実施形態において、顔面被覆部５は、開口部２及び周囲部４の略全体を覆っているが、開口部２から塵埃類が飛散しないよういなっていれば、開口部２及び周囲部４の一部を覆うものであってもよい。具体的には、顔面被覆部５は、例えば、開口部２の全体と周囲部４の一部、すなわち上下方向には額の上下方向中間部から首の上下方向中間部まで、水平方向には両耳よりも内側の領域とを覆うものであってもよい。又は、顔面被覆部５は、開口部２の全体を覆うことが好ましいが、開口部２から塵埃類が飛散しないよういなっていれば、正面視で上方側が多少被覆されていない領域があってもよい。
【符号の説明】
【００３９】
１    防塵フード（シールド付防塵フード）
２    開口部
３    フード部
４    周囲部
５    顔面被覆部
２０  マスク部
２１  シールド
２１ｂ  シールドの下端部
２３  下底部（顔面被覆部の下端部）
２４  袋構造
２５  表面生地
２６  裏面生地
【図１】
0006051125.tif 000002
【図２】
0006051125.tif 000003
【図３】
0006051125.tif 000004
【図４】
0006051125.tif 000005
【図５】
0006051125.tif 000006